(57)【要約】  【課題】個人情報等を記載した箇所に重ねてスタンプ操作を行うためのスタンプにおいて、個人情報等の内容をより視認されにくくする。  【解決手段】印面に複数の文字ＳＴを重ねて配置しているスタンプにおいて、複数の文字ＳＴの一部の周囲に白抜き縁取り部を設けているとともに、互いに重なる文字ＳＴのうち一方の白抜き縁取り部ＳＴ１が他方の文字ＳＴに優先して視認される形状に印面を形成する。  【選択図】図４
2010017881.tif 000002
【特許請求の範囲】
【請求項１】
印面に複数の文字又は図形を重ねて配置しているスタンプであって、前記複数の文字又は図形の一部の周囲に白抜き縁取り部を設けているとともに、互いに重なる文字又は図形のうち一方の白抜き縁取り部が他方の文字又は図形に優先して視認される形状の印面を有することを特徴とするスタンプ。
【請求項２】
前記複数の文字の書体をそれぞれ変化させている請求項１記載のスタンプ。
【請求項３】
前記複数の文字の大きさをそれぞれ変化させている請求項１又は２記載のスタンプ。
【請求項４】
前記複数の文字の傾きをそれぞれ変化させている請求項１、２又は３記載のスタンプ。
【請求項５】
表面に印面を有するローラー状の本体と、この本体を軸回りに回転可能に支持する支持体とを具備する請求項１、２、３又は４記載のスタンプ。
【請求項６】
前記支持体に回転可能に支持され前記本体を外部に露出させる使用位置と前記本体を外部から隠蔽する収納位置との間で移動可能な蓋体を有するものであって、この蓋体が平面部を有し、前記蓋体を収納位置として前記平面部を接地させた状態で自立可能である請求項５記載のスタンプ。
【請求項７】
前記支持体に回転可能に支持され前記本体を外部に露出させる使用位置と前記本体を外部から隠蔽する収納位置との間で移動可能な蓋体を有するものであって、前記支持体と前記蓋体との間に、前記蓋体を少なくとも前記使用位置及び前記収納位置に選択的に保持する節度機構を有する請求項５又は６記載のスタンプ。
【発明の詳細な説明】
【技術分野】
【０００１】
本発明は、既存の印刷物の印刷面上に印影を形成するスタンプ操作を行い、既存の印刷物の印刷内容を視認させにくくするためのスタンプに関する。
【背景技術】
【０００２】
従来、個人情報保護等の観点から、郵便物の宛名や、各種リスト中の個人情報の記載部分等の既存の印刷物の印刷文字列上に文字又は図形を重ねるスタンプ操作を行い、記載内容を視認させにくくするためのスタンプが種々考えられてきている（例えば、非特許文献１を参照）。
【非特許文献１】プラスステーショナリー株式会社、“プラスステーショナリー／個人情報保護スタンプ  ケシポン”、[online]、平成18年、プラスステーショナリー株式会社、［平成20年7月8日検索］、インターネット<URL:http://bungu.plus.co.jp/sta/product/office/keshipon/>
【発明の開示】
【発明が解決しようとする課題】
【０００３】
ところが、非特許文献１記載の構成では、印刷物の印刷文字列に規則的に配置された文字又は図形をスタンプ操作するものの、印刷面を注意深く観察すると上記文字列、例えば個人情報等の記載部分が視認されてしまうことが発生しうる。また、スタンプ操作により多数の文字又は図形を重ね合わせた印影を形成して印刷物の印刷文字列に上書きする態様も考えられるが、このようなものであっても、従来のものは個人情報等の記載部分を含めた多数の文字又は図形が単に重なり合っている構成であるので、個人情報等の記載内容が視認されてしまうことが発生しうる。
【０００４】
本発明はこのような課題を解決すること、すなわち、個人情報等の記載内容が視認されにくいスタンプを実現することを目的とする。
【課題を解決するための手段】
【０００５】
以上の課題を解決すべく、本発明に係るスタンプは、印面に複数の文字又は図形を重ねて配置しているスタンプであって、前記複数の文字又は図形の一部の周囲に白抜き縁取り部を設けているとともに、互いに重なる文字又は図形のうち一方の白抜き縁取り部が他方の文字又は図形に優先して視認される形状の印面を有することを特徴とする。
【０００６】
このようなものであれば、周囲に前記白抜き縁取り部が設けられた文字又は図形が浮かび上がった状態で優先して視認されるので、スタンプ操作により印影を形成した箇所に元から記載されていた個人情報等が視認されることをより効果的に抑制できる。
【０００７】
元から記載されていた個人情報等が視認されることをさらに効果的に抑制するには、前記複数の文字の書体をそれぞれ変化させているものや、前記複数の文字の大きさをそれぞれ変化させているものが望ましい。このようなものであれば、元から記載されていた個人情報等の書体や大きさがどのようなものであっても、種々の書体ないし種々の大きさの文字列が重ねて配置されているので、元から記載されていた個人情報等がどれであるのかをわかりにくくできるからである。
【０００８】
また、元から記載されていた個人情報等が視認されることをさらに効果的に抑制するには、前記複数の文字の傾きをそれぞれ変化させているものも望ましい。このようなものであれば、スタンプ操作の際に印影が傾いても、前記複数の文字の傾きをそれぞれ変化させているので、元から記載されていた個人情報等を示す文字列の傾きに関わらず、前記個人情報等がどれであるのかをわかりにくくできるからである。
【０００９】
さらに、このようなスタンプの使用の便を図るには、表面に印面を有するローラー状の本体と、この本体を軸回りに回転可能に支持する支持体とを具備するものが望ましい。このようなものであれば、前記個人情報等の長さにかかわらず、この個人情報等を記載した箇所に本体を当て、前記箇所上で本体を転がらせるスタンプ操作を１回行うことで前記箇所の全体に印影を形成できるからである。
【００１０】
加えて、このようなスタンプの収納の便を図るには、前記支持体に回転可能に支持され前記本体を外部に露出させる使用位置と前記本体を外部から隠蔽する収納位置との間で移動可能な蓋体を有するものであって、この蓋体が平面部を有し、前記蓋体を収納位置として前記平面部を接地させた状態で自立可能であるものが望ましい。このようなものであれば、蓋体の平面部を接地させることにより、このようなスタンプを自立させて収納できるので、収納スペースの低減を図ることができるからである。
【００１１】
そして、このようなスタンプの使用の便を図るには、前記支持体と前記蓋体との間に、前記蓋体を少なくとも前記使用位置及び前記収納位置に選択的に保持する節度機構を有するものが望ましい。このようなものであれば、使用時には蓋体を使用位置に保持させ、使用中に蓋体が移動してスタンプ操作の邪魔をすることを防げるとともに、非使用時には蓋体を収納位置に保持させ、印面のインクの乾燥を防げるからである。
【発明の効果】
【００１２】
本発明のスタンプの構成によれば、周囲に前記白抜き縁取り部が設けられた文字又は図形を印面に構成しているので、スタンプ操作を行った後は、前記文字又は図形からなる印影を形成した箇所に元から記載されていた個人情報等に優先してこのような文字又は図形が優先して視認される。従って、前記個人情報等の記載内容が視認されることにより個人情報等が漏洩する不具合の発生をより効果的に抑制できる。
【発明を実施するための最良の形態】
【００１３】
以下、本発明の一実施形態を図面を参照しつつ述べる。
【００１４】
本実施形態に係るスタンプ１は、正面図を図１、分解斜視図を図２にそれぞれ示すように、表面に印面２２ａを有するローラー状の本体２と、この本体２を軸回りに回転可能に支持する支持体３と、この支持体３に回転可能に支持され前記本体２を外部に露出させる使用位置Ｕと前記本体２を外部から隠蔽する収納位置Ｓとの間で移動可能な蓋体４とを具備する。
【００１５】
前記本体２は、略円柱状をなすとともに両板面から軸２１１を突出させて設けたコア２１と、このコア２１の外周に配してなり表面に印面２２ａを有する印版２２とを備えている。前記印版２２の印面２２ａには、複数の文字ＳＴを重ねて配置している。また、この印版２２は、例えば粉末ＮＢＲゴムを成形した多孔質のものであり、インクを孔内に保持し、使用時には孔内に保持されたインクを紙面に付着させるようにしている。なお、本実施形態においては、文字ＳＴは、複数個の文字を組み合わせてなり該組み合わせ固有の意味を有する文字列を形成している。また、前記図２では、実際の印面２２ａの凹凸形状は省略して平滑な円筒面として示している。
【００１６】
前記支持体３は、前記本体２の軸２１１を挿し通してなる軸穴３１ａを有する支持部３１と、この支持部３１の上方に隣接させて設けてなる把持部３２とを有する。この支持体３は、本実施形態では第１の支持要素３ａと第２の支持要素３ｂとを接続させてなる半割構造を有する。また、前記軸穴３１ａの外方には、前記軸２１１を収納する略円筒状の軸収納部３１１を設けている。
【００１７】
前記蓋体４は、前記本体２の軸２１１及び前記支持体３の軸収納部３１１を通過させてなる軸穴４１ａをそれぞれ有し略半円形をなす板面部４１と、この板面部４１間を接続するとともに本体２の印面２２ａを被覆可能な被覆面部４２と、この被覆面部４２の一端部から外方に延伸させて設けてなり前記使用位置Ｕと前記収納位置Ｓとの間で移動させる際の操作力を受け付ける操作部４３とを具備する。また、この蓋体４の被覆面部４２には平面部４２ａを設けている。
【００１８】
また、本実施形態では、前記支持体３と前記蓋体４との間に、前記蓋体４を少なくとも前記使用位置Ｕ及び前記収納位置Ｓに選択的に保持する節度機構ＳＫを設けている。この節度機構ＳＫは、具体的には、前記蓋体４の軸穴４１ａから内方に突出させて設けた節度爪４１１と、前記軸収納部３１１の外面に設けられ前記節度爪４１１と係わり合う第１、第２．及び第３保持穴３ｘ、３ｙ、３ｚとを利用して設けている。前記第１保持穴３ｘと前記節度爪４１１とが係り合った状態では、蓋体４が前記収納位置Ｓに保持される。前記第２保持穴３ｙと前記節度爪４１１とが係り合った状態では、蓋体４が前記使用位置Ｓに保持される。前記第３保持穴３ｚと前記節度爪４１１とが係り合った状態では、蓋体４が前記収納位置Ｓと使用位置Ｕとの中間に設定した所定の図示しない半開位置に保持される。そして、このスタンプ１の収納時には、前記蓋体４を収納位置Ｓに保持した状態で、平面部４２ａを天板面や棚板の板面などに接地させた状態でスタンプ１を自立可能にしている。
【００１９】
しかして本実施形態では、印面２２ａの版下の展開図を図３に、また、図３における要部の拡大図を図４に示すように、前記印面２２ａに配置した複数の文字ＳＴのうち一部の周囲にインクが紙面に付着しない白抜き縁取り部ＳＴ１を設けている。さらに、前記印面２２ａは、互いに重なる文字ＳＴのうち一方の白抜き縁取り部ＳＴ１が他方の文字ＳＴに優先して視認される形状を有する。また、本実施形態では、前記複数の文字ＳＴの書体、大きさ、及び傾きは文字列ごとにそれぞれ異なるものとしている。なお、実際の印面２２ａは、図３に示したものを左右反転させたもののうち黒色部分が凸部、白色部分（白抜き縁取り部ＳＴ１を含む）が凹部となるような形状を有する。そして、前記凸部を紙面に当てることによりインクが紙面に付着してスタンプ操作が行われるようにしている。
【００２０】
さらに詳述すると、前記印面２２ａに配した各文字ＳＴは、文字列ごとにそれぞれ優先順位を付された状態で印面２２ａ状に配置されている。その上で、優先順位が高い文字列に含まれる文字ＳＴの周囲の白抜き縁取り部ＳＴ１により優先順位が低い文字列に含まれる文字ＳＴが消された状態に印面２２ａを構成している。
【００２１】
また、このスタンプ１の印面２２ａ中の黒部分すなわち前記凸部の面積の全体に対する比率は、３０〜６７％、より望ましくは３３〜４５％の範囲に設定している。また、このスタンプ１の実際の印影の黒色部分の比率は、３５〜７２％、より望ましくは４０〜５０％の範囲に設定している。
【００２２】
次いで、このスタンプ１の使用の態様について以下に述べる。
【００２３】
例えば、使用済み封筒に記された住所や氏名等の個人情報の隠蔽を図る場合には、まず蓋体４を使用位置Ｕに配置し、それから本体２の印面２２ａを前記使用済み封筒の個人情報が記された箇所の近傍に当てる。その後、本体２を前記個人情報等を示す文字列に沿って転がすと、印面２２ａに配された複数の文字ＳＴが使用済み封筒に転写され、前記文字ＳＴが前記個人情報が記された箇所に上書きされる。
【００２４】
また、このスタンプ１にインクを補充する際には、まず蓋体４を前記半開位置又は使用位置Ｕに配置し、それから印面２２ａにインクを１滴付着させて所定時間、例えば約１５分放置する。それから、回転軸を９０度回転させて印面２２ａにインクを１滴付着させ所定時間放置する操作を３回繰り返す。なお、この操作の便を図るべく、前記支持体３の前記軸穴３１ａと隣接する部位に９０度ずつ周方向に離間させて案内部３１ｂを設けている一方、前記本体２の軸２１１にも、前記操作の便を図るべく、軸心から変位した位置に案内部２１１ａを設け、軸２１１側の案内部２１１ａの位相を支持体３側の案内部３１ｂのいずれかの位相と一致させた状態で印面２２ａにインクを付着させる操作を行うようにしている。
【００２５】
そして、このスタンプ１を直ちに使用しない場合には蓋体４を収納位置Ｓに移動させて節度機構ＳＫにより蓋体４を収納位置Ｓに保持した状態で、平面部４２ａを天板面や棚板の板面などに接地させた状態でスタンプ１を自立させて収納するようにしている。
【００２６】
ここで、このスタンプ１の印影は、例えば図４においては「オフィス」という文字列を形成する文字ＳＴの各文字の周囲に設けた白抜き縁取り部ＳＴ１により、他の文字列を形成する文字ＳＴ、例えば「西京区嵐山」という文字列を形成する文字ＳＴと前記「オフィス」という文字列を形成する文字ＳＴの白抜き縁取り部ＳＴ１と重なる部分が消去された形状を有する。従って、「オフィス」という文字列が、印影に設定した他の文字列、及び前記使用済み封筒に記された住所や氏名等の個人情報に優先して視認される。
【００２７】
本実施形態に係るスタンプ１は、以上に述べたように、周囲に前記白抜き縁取り部ＳＴ１が設けられた文字ＳＴが浮かび上がった状態で優先して視認されるので、特に、複数の文字に優先順位を付することなく重ね合わせたものを印面２２ａに設定しているものと比較して、文字ＳＴを含む印影を形成した箇所に元から記載されていた個人情報等の記載内容が視認され、個人情報等が漏洩することをより効果的に抑制できる。特に本実施形態では、文字ＳＴが意味をなす文字列を形成し、この文字列を形成する各文字ＳＴに白抜き縁取り部ＳＴ１を設けているので、この白抜き縁取り部ＳＴ１を設けられた文字ＳＴが意味をなす文字列として優先して視認され、従って、元から記載されていた個人情報等をさらにわかりにくくできる。なお、使用済み封筒に限らず、顧客リスト等、個人情報等が明らかに視認可能な状態で廃棄すべきでない書類を廃棄する際に、個人情報等が記載された箇所にもこのスタンプ１を使用して個人情報等をわかりにくくしてから廃棄するようにしてももちろんよい。
【００２８】
また、印面２２ａ上に配置した前記複数の文字ＳＴの書体及び文字の大きさをそれぞれ変化させているので、元から記載されていた個人情報等の書体や大きさがどのようなものであっても、種々の書体ないし種々の大きさの文字ＳＴが重ねて配置されているので、元から記載されていた個人情報等がどれであるのかをわかりにくくできる。従って、元から記載されていた個人情報等が視認されることをさらに効果的に抑制できる。
【００２９】
加えて、印面２２ａ上に配置した前記複数の文字ＳＴの傾きをそれぞれ変化させているので、スタンプ操作の際に操作方向がずれて印影が傾いても、前記複数の文字の傾きをそれぞれ変化させているので元から記載されていた個人情報等を示す文字列の傾きに関わらず前記個人情報等がどれであるのかはわかりにくく、この点からも、元から記載されていた個人情報等が視認されることをさらに効果的に抑制できる。
【００３０】
さらに、このスタンプ１は、表面に印面２２ａを有するローラー状の本体２と、この本体２を軸回りに回転可能に支持する支持体３とを具備するので、前記個人情報等の長さにかかわらず、この個人情報等を記載した箇所に本体２を当て、前記箇所上で本体２を転がらせるスタンプ操作を１回行うことにより前記箇所の全体に印影を形成でき、より少ない操作で個人情報等の隠蔽操作を行うことができる。
【００３１】
加えて、前記支持体３に回転可能に支持され前記本体２を外部に露出させる使用位置Ｕと前記本体２を外部から隠蔽する収納位置Ｓとの間で移動可能な蓋体４を有し、この蓋体４が平面部４２ａを有し、前記蓋体４を収納位置Ｓとして前記平面部４２ａを接地させた状態で自立可能であるので、このスタンプ１は自立させた状態で収納でき、従って収納スペースの低減を図ることができる。
【００３２】
そして、前記支持体３と前記蓋体４との間に、前記蓋体４を少なくとも前記使用位置Ｕ及び前記収納位置Ｓに選択的に保持する節度機構ＳＫを有するので、使用時には蓋体４を使用位置Ｕに保持させ、使用中に蓋体４が移動してスタンプ操作の邪魔をすることを防げるとともに、非使用時には蓋体４を収納位置Ｓに保持させ、印面２２ａのインクの乾燥を防ぐことができ、このようなスタンプ１の使用の便を図ることができる。
【００３３】
なお、本発明は以上に述べた実施形態に限られない。
【００３４】
例えば、文字列だけでなく、図形も文字列ないし他の図形と重ね合わせた状態で印面に設定し、このような図形の一部に白抜き縁取り部を設けてもよい。もちろん、図形のみを重ね合わせたものを印面に設定してかまわない。さらに、文字列だけでなく単独の文字を配置するようにしてもよい。
【００３５】
さらに、このようなスタンプはローラー状である必要はなく、直方体状ないし立方体状の支持体の一表面に印版を設定したものであってもよい。さらに、印版にインクを保持可能にする代わりに、使用する際にその都度印版の表面にインクを付着させてスタンプ操作を行う態様を採用してもよい。
【００３６】
加えて、印影の長手方向を個人情報等を示す文字列の延伸方向に沿わせるためのガイド部材を設ける等、印影の文字列と個人情報等を示す文字列との傾きが異ならないようにするための構成を別途有するものであれば、印面の文字列の傾きを異ならせる必要はない。また、印面の文字列の大きさ及び書体が全て同じものであっても、代表的な書体及び大きさ、例えば明朝体の文字列を印面に配したものとゴシック体の文字列を印面に配したものとを、また、大きさが１０．５ポイントの文字列を印面に配したものと大きさが１２ポイントの文字列を印面に配したものとをそれぞれ別途用意すれば、個人情報等を示す文字列に対応する書体及び大きさの文字列を印面に配したスタンプを利用することにより、個人情報等の隠蔽を図ることはできる。
【００３７】
そして、ローラー状のスタンプを支持させておくための支持台を別途用意してもよいのであれば、スタンプを自立させて収納させるべく蓋体に平面部を設ける必要はない。また、蓋体を使用位置と収納位置との間で移動可能に支持体に支持させ、蓋体と支持体との間に節度機構を設ける代わりに、例えば、蓋体を本体及び支持体に対して脱着可能にするようにしてもよい。この場合、スタンプの使用時には、本体を隠蔽不可能な状態で蓋体を支持体の所定箇所、例えば上端部に取り付け可能に構成してもよい。
【００３８】
その他、本発明の趣旨を損ねない範囲で種々に変更してよい。
【図面の簡単な説明】
【００３９】
【図１】本発明の一実施形態に係るスタンプを示す正面図。
【図２】同実施形態に係るスタンプを示す分解斜視図。
【図３】同実施形態に係るスタンプの印面の版下の展開図。
【図４】図３における要部を拡大して示す図。
【符号の説明】
【００４０】
１…スタンプ
２…本体
２２ａ…印面
３…支持体
４…蓋体
４２ａ…平面部
Ｕ…使用位置
Ｓ…収納位置
ＳＴ…文字
ＳＴ１…白抜き縁取り部
【図１】
2010017881.tif 000003
【図２】
2010017881.tif 000004
【図３】
2010017881.tif 000005
【図４】
2010017881.tif 000006